(57)【特許請求の範囲】
【請求項１】
複数種類のアプリケーションの処理履歴を、コンテンツごとに時間情報とともに記憶する記憶部と、
前記記憶部の記憶する時間情報に基づいて、前記複数種類のアプリケーションのコンテンツ情報を時系列でオブジェクトとして表示させ、前記オブジェクトとともに前記オブジェクトに対応するコンテンツ情報の時間情報を表示させ、前記コンテンツ情報として少なくとも複数の送信メール及び受信メールを前記時間情報に基づいて紐付けして表示させる表示制御部と、
前記オブジェクトが選択されたとき、選択されたオブジェクトに対応するコンテンツ情報の詳細表示に表示を切り替える表示切替部と、
を有する、
情報処理装置。
【請求項２】
前記表示制御部は、前記オブジェクトを前記オブジェクトに対応するコンテンツ情報のアプリケーション種別を識別できるように表示させる
請求項１に記載の情報処理装置。
【請求項３】
前記詳細表示は、前記選択されたオブジェクトのアプリケーション種別に応じて異なる表示インターフェースである
請求項１に記載の情報処理装置。
【請求項４】
前記詳細表示は、前記選択されたオブジェクトのアプリケーション種別が同じである他のコンテンツを選択可能な表示である
請求項１に記載の情報処理装置。
【請求項５】
前記オブジェクトとともに、前記オブジェクトに対応するコンテンツに関連するサムネイルが表示される
請求項１に記載の情報処理装置。
【請求項６】
前記オブジェクトとともに、前記オブジェクトに対応するコンテンツのサムネイルが表示される
請求項１に記載の情報処理装置。
【請求項７】
前記オブジェクトとともに、前記オブジェクトに対応するコンテンツの処理を行ったユーザの識別情報が表示される
請求項１に記載の情報処理装置。
【請求項８】
前記アプリケーションとして少なくともメールアプリケーション、カメラアプリケーション、音楽アプリケーション、動画アプリケーション、スケジュールアプリケーション、メモアプリケーション、または通話アプリケーションのうち少なくとも二つを含む
請求項１に記載の情報処理装置。
【請求項９】
複数種類のアプリケーションの処理履歴を、コンテンツごとに時間情報とともに記憶するステップと、
前記記憶するステップで記憶される時間情報に基づいて、前記複数種類のアプリケーションのコンテンツ情報を時系列でオブジェクトとして表示させ、前記オブジェクトとともに前記オブジェクトに対応するコンテンツ情報の時間情報を表示させ、前記コンテンツ情報として少なくとも複数の送信メール及び受信メールを前記時間情報に基づいて紐付けして表示させるステップと、
前記オブジェクトが選択されたとき、選択されたオブジェクトに対応するコンテンツ情報の詳細表示に表示を切り替えるステップと、
を含む
情報処理方法。
【請求項１０】
前記表示させるステップでは、前記オブジェクトを前記オブジェクトに対応するコンテンツ情報のアプリケーション種別を識別できるように表示させる
請求項９に記載の情報処理方法。
【請求項１１】
前記詳細表示は、前記選択されたオブジェクトのアプリケーション種別に応じて異なる表示インターフェースである
請求項９に記載の情報処理方法。
【請求項１２】
前記詳細表示は、前記選択されたオブジェクトのアプリケーション種別が同じである他のコンテンツを選択可能な表示である
請求項９に記載の情報処理方法。
【請求項１３】
前記オブジェクトとともに、前記オブジェクトに対応するコンテンツに関連するサムネイルが表示される
請求項９に記載の情報処理方法。
【請求項１４】
前記オブジェクトとともに、前記オブジェクトに対応するコンテンツのサムネイルが表示される
請求項９に記載の情報処理方法。
【請求項１５】
前記オブジェクトとともに、前記オブジェクトに対応するコンテンツの処理を行ったユーザの識別情報が表示される
請求項９に記載の情報処理方法。
【請求項１６】
前記アプリケーションとして少なくともメールアプリケーション、カメラアプリケーション、音楽アプリケーション、動画アプリケーション、スケジュールアプリケーション、メモアプリケーション、または通話アプリケーションのうち少なくとも二つを含む
請求項９に記載の情報処理方法。
【請求項１７】
複数種類のアプリケーションの処理履歴を、コンテンツごとに時間情報とともに記憶する記憶機能と、
前記記憶機能で記憶された時間情報に基づいて、前記複数種類のアプリケーションのコンテンツ情報を時系列でオブジェクトとして表示させ、前記オブジェクトとともに前記オブジェクトに対応するコンテンツ情報の時間情報を表示させ、前記コンテンツ情報として少なくとも複数の送信メール及び受信メールを前記時間情報に基づいて紐付けして表示させる表示制御機能と、
前記オブジェクトが選択されたとき、選択されたオブジェクトに対応するコンテンツ情報の詳細表示に表示を切り替える表示切替機能と、
をコンピュータに実現させるためのプログラム。
【発明の詳細な説明】
【技術分野】
【０００１】
本発明は、情報処理装置、情報処理方法、及びプログラムに関する。
【背景技術】
【０００２】
近年、情報処理技術の高度化に伴い、携帯電話やゲーム機等の小型機器に様々な機能が搭載されてきている。これらの機器には、通信機能や通話機能はもとより、例えば、電子メール機能、撮像機能、又はスケジュール管理機能等の多様な機能が搭載されている。こうした機器のユーザは、各機能に各々対応したアプリケーションを起動させて実行する。例えば、メール機能を利用しているユーザは、メールアプリケーションを立ち上げてメールを作成したり、その作成したメールを送信したりしている。そのため、一の機能を利用中に他の機能を利用する場合に、他の機能に対応した別のアプリケーションを起動する手間が生じてしまう。また、同じアプリケーションに対応した機能を利用していても、異なるコンテンツを利用しようとする場合に、一旦メニュー画面に戻って所望のコンテンツを選択する画面に切り替えるなどの手間が生じてしまう。
【０００３】
大型の表示装置を備えた情報処理装置の場合、複数のアプリケーションを同時に起動させておき、アプリケーション間、又はコンテンツ間を切り替えて利用することで、上記の手間を省くことが可能になる。しかし、小型の表示装置しか持たない機器の場合、上記の手間がダイレクトにユーザの利便性を損ねる結果を招いてしまう。また、ユーザが複数の機能を併用する動機として、例えば、メール機能で送受信したメールの情報と、撮像機能で撮影した写真の情報との間にある時間的、或いは空間的な関連性を知りたいという要望がある。さらに、過去に取得又は提供したコンテンツに関する統計的な情報や、その統計的な情報と他のコンテンツの情報との関連性を知りたいという要望もある。こうした要望に対して、これまでの表示制御方法では対応することが難しい。
【０００４】
例えば、下記の特許文献１には、ユーザが送信した電子メールと受信した電子メールとを時系列に一覧表示する携帯端末装置の技術が開示されている。この技術は、送信メールと受信メールとを混在させて一覧表示することにより、同じ相手に対する遣り取りの流れを俯瞰することができるというものである。
【０００５】
【特許文献１】特開２００５−１３５４０１号公報
【発明の開示】
【発明が解決しようとする課題】
【０００６】
しかしながら、上記の技術は、相手の情報を基準にして送受信メールを俯瞰できる点で優れているが、メール機能と他の機能との間の関連性をユーザに示すものではない。そのため、ユーザは、例えば、メールの時間情報に基づいて所望の写真を抽出する際に、メールの時間情報を記憶又はメモしておき、写真のアプリケーション画面に表示された時間情報と照合させながら所望の写真を探すといった操作が必要になる。そこで、時間情報をキーにして複数種類のデータを比較対照することが可能な表示インターフェースに関する技術が求められている。
【０００７】
そこで、本発明は、上記問題に鑑みてなされたものであり、本発明の目的とするところは、時間情報をキーにして関連する複数種類のデータを表示し、時系列表示されたデータをスクロール表示することで経時順にデータを閲覧することが可能な、新規かつ改良された情報処理装置、情報処理方法、及びプログラムを提供することにある。
【課題を解決するための手段】
【０００８】
上記課題を解決するために、本発明のある観点によれば、複数種類のコンテンツの情報が一画面に表示される表示インターフェースが提供される。当該表示インターフェースは、前記複数種類のコンテンツが有する時間情報に基づいて、前記コンテンツの情報が俯瞰的に時系列で表示される俯瞰表示領域と、前記俯瞰表示領域で選択された前記時間情報に応じて、当該時間情報に対応するコンテンツの情報がより詳細に表示される詳細表示領域とを有し、前記俯瞰表示領域に表示された情報がスクロールされることにより、前記詳細表示領域に表示される前記コンテンツの情報がスクロール表示されることを特徴とするものである。
【０００９】
また、前記詳細表示領域には、複数の前記コンテンツに共通して含まれるキー情報に基づき、当該複数のコンテンツの情報が紐付けられて表示されてもよい。
【００１０】
また、前記詳細表示領域には、前記俯瞰表示領域で指定された前記コンテンツの情報に対応する時間情報に応じて、当該時間情報に関係するコンテンツの内容が一部又は全部表示されてもよい。
【００１１】
また、前記詳細表示領域には、前記時間情報に基づいて相互に関連するメールデータの情報、及び画像データの情報が表示されてもよい。
【００１２】
また、上記課題を解決するために、本発明の別の観点によれば、上記の表示インターフェースを表示装置に表示させる表示制御装置が提供される。当該表示制御装置は、前記表示装置に前記俯瞰表示領域、及び前記詳細表示領域を表示させる表示制御部と、前記俯瞰表示領域のスクロール表示に応じて前記詳細表示領域の表示をスクロールさせるスクロール処理部とを備えることを特徴とするものである。
【００１３】
また、上記課題を解決するために、本発明の別の観点によれば、上記の表示インターフェースを表示装置に表示するための表示方法が提供される。当該表示方法は、前記表示装置に前記俯瞰表示領域、及び前記詳細表示領域が表示される領域表示ステップと、前記俯瞰表示領域のスクロール表示に応じて前記詳細表示領域の表示がスクロールされるスクロール処理ステップとを含むことを特徴とするものである。
【００１４】
また、上記課題を解決するために、本発明の別の観点によれば、上記の表示制御装置が有する機能をコンピュータに実現させるためのプログラムが提供される。そして、当該プログラムが記録された記録媒体が提供される。
【発明の効果】
【００１５】
以上説明したように本発明によれば、時間情報をキーにして関連する複数種類のデータを表示し、時系列表示されたデータをスクロール表示することで経時順にデータを閲覧することが可能になる。
【発明を実施するための最良の形態】
【００１６】
以下に添付図面を参照しながら、本発明の好適な実施の形態について詳細に説明する。なお、本明細書及び図面において、実質的に同一の機能構成を有する構成要素については、同一の符号を付することにより重複説明を省略する。
【００１７】
＜本発明の一実施形態＞
まず、本発明に係る好適な実施形態について詳細に説明する。本実施形態の１つの特徴は、複数種類のコンテンツに関する情報を時系列に沿って同画面に表示する点にある。また、本実施形態は、コンテンツに関する情報を俯瞰的に表示させる表示領域と、そのコンテンツに関する詳細な情報を表示させる表示領域とを有し、両表示領域の情報を連動させてスクロール表示させる点にも特徴を有する。
【００１８】
［表示システム１０００の構成］
まず、図１を参照しながら、本実施形態に係る表示システム１０００のシステム構成について簡単に説明する。図１は、本実施形態に係る表示システム１０００の構成を示す説明図である。
【００１９】
図１に示すように、表示システム１０００は、主に、表示制御装置１０２と、表示装置１０４と、記憶装置１０６と、通信装置１０８と、撮像装置１１０とにより構成される。
【００２０】
表示制御装置１０２は、表示装置１０４に表示される表示インターフェースの表示制御に関する処理を主に実行する。表示装置１０４は、表示制御装置１０２による制御を受けて表示インターフェースを表示する。表示装置１０４は、この表示インターフェースが表示される表示領域Ａを有する。この表示領域Ａには、俯瞰表示領域Ａ２と、詳細表示領域Ａ１とが含まれる。但し、俯瞰表示領域Ａ２と詳細表示領域Ａ１とが重なって表示されてもよい。
【００２１】
記憶装置１０６には、通信装置１０８を介して送信又は受信されたメール、撮像装置１１０を介して撮影された静止画像又は動画像（以下、映像データ）、ユーザのスケジュール情報、音楽データ、ネットワーク９３２を通じて取得されるウェブコンテンツ又は放送コンテンツ等が一時的又は永続的に記録される。通信装置１０８は、有線又は無線通信手段であり、局所的又は広域的なネットワーク９３２を介して情報を取得又は提供することができる。また、通信装置１０８は、通話手段であり、通話記録や通話履歴等の通話情報を取得して記憶装置１０６に記録することも可能である。撮像装置１１０は、被写体の像を光学的に取得して映像データとして記録するための映像取得手段である。但し、撮像装置１１０は、映像データを取得しつつ、音声データを取得する手段であってもよい。
【００２２】
以上説明したように、表示システム１０００は、種々の手段を用いて取得したコンテンツを表示装置１０４に表示してユーザに提供するシステムである。例えば、表示システム１０００が有する構成要素の一部又は全部を利用して、携帯機器や携帯電話等の情報処理端末を形成することができる。但し、本実施形態に係る表示システム１０００の特徴は、表示制御装置１０２により表示装置１０４上に実現される表示インターフェースの表示構成にある。そこで、以下では、表示制御装置１０２の機能構成について説明した上で、表示装置１０４に表示される表示インターフェースの具体的な構成例について説明する。
【００２３】
［表示制御装置１０２の機能構成］
ここで、図１を参照しながら、本実施形態に係る表示制御装置１０２の機能構成について説明する。
【００２４】
図１に示すように、表示制御装置１０２は、主に、操作部１１２と、表示制御部１１４と、階層切替部１１６と、スクロール処理部１１８とにより構成される。
【００２５】
操作部１１２は、ユーザ入力を受け付けるための操作手段である。表示制御部１１４は、記憶装置１０６内に記録されたコンテンツの情報に基づき、表示装置１０４に表示インターフェースを表示させると共に、表示インターフェース内に表示されたオブジェクトの移動や表示切替等の表示制御に係る処理を実行する。階層切替部１１６は、操作部１１２を介して階層移動の指示を受けると、表示制御部１１４に対し、所定の時間単位で階層化された表示インターフェースの表示階層を切り替えるように指示する。スクロール処理部１１８は、操作部１１２を介してスクロール操作の指示を受けると、表示制御部１１４に対し、表示インターフェース内のオブジェクト又は表示領域をスクロールさせるように指示する。
【００２６】
以上、本実施形態に係る表示制御装置１０２の機能構成について簡単に説明した。上記の各構成要素の機能を利用して、本実施形態に係る表示インターフェースが実現される。
【００２７】
［表示インターフェースの構成例］
ここで、図２〜図４を参照しながら、本実施形態に係る表示インターフェースの構成例について詳細に説明する。図２〜図４は、本実施形態に係る表示インターフェースの構成例を示す説明図である。
【００２８】
（基本的な操作の流れ）
まず、図２を参照しながら、本実施形態に係る表示インターフェースを用いた操作の流れについて簡単に説明する。
【００２９】
本実施形態に係る表示インターフェースは、所定の時間単位毎に階層化された階層構造を有している。本実施形態に係る階層構造は、例えば、図２に示すように、「年」階層Ｌ１０２と、「月」階層Ｌ１０４と、「週」階層Ｌ１０６と、「日」階層Ｌ１０８とにより構成される。
【００３０】
例えば、ユーザは、表示システム１０００を起動して「年」階層Ｌ１０２を表示させる。「年」階層Ｌ１０２では、表示領域Ａ内に複数の年単位表示オブジェクトＡ１０２が時系列で表示される。年単位表示オブジェクトＡ１０２には、年単位の時間情報が表示される。尚、表示制御部１１４は、表示領域Ａ内に表示可能な数よりも多い年単位表示オブジェクトＡ１０２を準備しておき、表示領域Ａ内の表示がスクロールされた際に、準備された年単位表示オブジェクトＡ１０２を表示してもよい。
【００３１】
また、ユーザは、階層切替部１１６を介して「月」階層Ｌ１０４に表示階層を切り替えることができる。「月」階層Ｌ１０４では、表示領域Ａ内に複数の月単位表示オブジェクトＡ１０４が時系列で表示される。月単位表示オブジェクトＡ１０４には、月単位の時間情報が表示される。「年」階層Ｌ１０２の場合と同様に、表示制御部１１４は、表示領域Ａ内に表示可能な数よりも多い月単位表示オブジェクトＡ１０４を準備しておき、表示領域Ａ内の表示がスクロールされた際に、準備された月単位表示オブジェクトＡ１０４を表示してもよい。
【００３２】
また、ユーザは、階層切替部１１６を介して「週」階層Ｌ１０６に表示階層を切り替えることができる。「週」階層Ｌ１０６では、表示領域Ａ内に複数の日単位表示オブジェクトＡ１０６が時系列で表示される。日単位表示オブジェクトＡ１０６には、日単位の時間情報が表示されると共に、その日に取得又は提供したコンテンツの情報が表示される。例えば、日単位表示オブジェクトＡ１０６には、その時間情報に関連して、メールの存在を示すメールオブジェクトｍや写真の存在を示す写真オブジェクトｐが含まれる。そのため、ユーザは、日単位表示オブジェクトＡ１０６に表示された日にメールや写真等のコンテンツをどれだけ取得又は提供したかを一目で把握することができる。
【００３３】
また、ユーザは、階層切替部１１６を介して「日」階層Ｌ１０８に表示階層を切り替えることができる。「日」階層Ｌ１０８では、「週」階層Ｌ１０６で選択された日単位表示オブジェクトＡ１０６が大きく表示される。そのため、ユーザは、日単位表示オブジェクトＡ１０６に表示されたメールオブジェクトｍや写真オブジェクトｐ等の数をより正確に把握することができる。尚、ユーザは、「年」階層Ｌ１０２、「月」階層Ｌ１０４、「週」階層Ｌ１０６、「日」階層Ｌ１０８の間を自由に切り替えることができる。
【００３４】
（「詳細表示」階層の表示構成）
さらに、本実施形態に係る表示インターフェースは「詳細表示」階層を有する。そのため、ユーザは、例えば、上記の「週」階層Ｌ１０６、又は「日」階層Ｌ１０８で選択した日単位表示オブジェクトＡ１０６に対応する「詳細表示」階層に切り替えることができる。そこで、図３を参照しながら、「詳細表示」階層の表示構成について説明する。
【００３５】
図３に示すように、上記の「詳細表示」階層は、主に、詳細表示領域Ａ１と、俯瞰表示領域Ａ２とにより構成される。
【００３６】
（詳細表示領域Ａ１について）
まず、詳細表示領域Ａ１の表示構成について説明する。
【００３７】
図３に示すように、詳細表示領域Ａ１には、複数種類のコンテンツに対応するオブジェクトが表示される。例えば、詳細表示領域Ａ１には、メールタイトルオブジェクトｍ１、ｍ２、メール内容オブジェクトｃ１、ｃ２、写真オブジェクトｐ１、ｐ２、ｐ３等が表示される。メールタイトルオブジェクトｍ１、ｍ２には、送信又は受信したメールのタイトルやサブジェクト等のヘッダ情報が表示される。尚、ヘッダ情報として、送信者や受信者の名前等が含まれていてもよい。また、メール内容オブジェクトｃ１、ｃ２は、夫々、メールタイトルオブジェクトｍ１、ｍ２に紐付けされており、その関係が紐付け表示オブジェクトＲによって表示される。
【００３８】
例えば、メールタイトルオブジェクトｍ１には、そのタイトル１に関連して複数の送信メール（ｃ１）、及び受信メール（ｃ２）が紐付けされている。このとき、各オブジェクトは、そのコンテンツが有する時間情報に基づいて紐付け表示されてもよい。例えば、時間情報には、送信メールの送信日時、又は受信メールの受信日時等が含まれる。
【００３９】
また、メール内容オブジェクトｃ１、ｃ２には、送信メール又は受信メールの内容の一部又は全部が表示される。写真オブジェクトｐ１、ｐ２、ｐ３には、実際に撮影された写真、或いは、その写真のサムネイル等が表示される。尚、写真オブジェクトｐ１、ｐ２、ｐ３として、その写真に付加されたメタ情報が表示されてもよい。
【００４０】
上記の各オブジェクトは、各コンテンツが有する時間情報に基づいて表示領域Ａ内に配置される。例えば、各オブジェクトは、各コンテンツが有する時間情報と、タイムライン表示領域Ａ２１に表示される時刻とが一致するように表示される。そのため、ユーザは、ほぼ同じ時刻の位置に並んで表示された複数種類のコンテンツについて、それらが同時期に取得又は提供されたものであることを認識することができる。これを応用すると、例えば、写真に撮影されたシーンに関する出来事をその時期に送受信したメール本文からユーザが理解できるようにするといった利用法が実現される。尚、表示制御部１１４は、現在表示されている表示領域Ａの前後に位置し、表示領域Ａから外れる時間領域のオブジェクトをバッファリングしておいてもよい。
【００４１】
（俯瞰表示領域Ａ２について）
次に、俯瞰表示領域Ａ２の表示構成について説明する。俯瞰表示領域Ａ２は、タイムライン表示領域Ａ２１と、時間情報表示領域Ａ２２とにより構成される。時間情報表示領域Ａ２２は、日単位の時間情報が表示される表示領域である。
【００４２】
一方、図３に示すように、タイムライン表示領域Ａ２１は、所定の時間単位で区切られて時刻情報が表示されている。但し、タイムライン表示領域Ａ２１に表示される時刻情報は、ユーザが見やすいように、好適な任意の時間単位で表示されていてもよい。タイムライン表示領域Ａ２１には、領域表示オブジェクトａが表示されている。この領域表示オブジェクトａは、詳細表示領域Ａ１に表示される領域を示すものである。従って、領域表示オブジェクトａが表示されている時間領域内で取得又は提供されたコンテンツの情報が詳細表示領域Ａ１に表示される。この処理は、主に、表示制御部１１４により実行され、コンテンツが有する時間情報に基づいて詳細表示領域Ａ１に表示される情報が決定される。
【００４３】
また、この領域表示オブジェクトａは、タイムライン表示領域Ａ２１内を自由に移動することができる。そのため、ユーザは、操作部１１２を利用して領域表示オブジェクトａを移動させ、詳細表示領域Ａ１に表示される情報をスクロール操作することが可能である。また、領域表示オブジェクトａには、その領域内に含まれるコンテンツの情報が表示されていてもよい。例えば、ある時間領域に領域表示オブジェクトａが位置する場合、その時間領域内で送信又は受信したメールが存在する場合に、その領域表示オブジェクトａ内にメールを表すアイコン等のオブジェクトを表示してもよい。このようにすると、ユーザは、タイムライン表示領域Ａ２１内で領域表示オブジェクトａを移動させながら、ある時間帯に取得又は提供したコンテンツを容易に検索することができるようになる。尚、領域表示オブジェクトａ外のタイムライン表示領域Ａ２１内にコンテンツの存在を表すオブジェクトを表示してもよい。
【００４４】
上記のように、「詳細表示」階層では、タイムライン表示領域Ａ２１で指定された時間情報に応じて、複数種類のコンテンツが詳細表示領域Ａ１に表示される。また、タイムライン表示領域Ａ２１に表示された領域表示オブジェクトａの移動操作に応じて、詳細表示領域Ａ１の表示が任意方向にスクロール表示される。また、コンテンツに含まれるキー情報に基づいて、複数のコンテンツに各々対応する複数のオブジェクトが紐付け表示される。さらに、タイムライン表示領域Ａ２１の時間情報に基づいて詳細表示領域Ａ１内にオブジェクトが配置されるため、ユーザは、時間情報をキー情報にして複数種類のコンテンツの関連性を想起することができる。特に、ユーザは、経時方向にスクロール表示することで、同時期に作成されたメールや写真等から思い出を回想することができる。つまり、「詳細表示」階層は、一種の思い出日記を形成している。
【００４５】
（「詳細表示」階層の切り替え）
次に、図４を参照しながら、「詳細表示」階層の表示切り替えについて説明する。
【００４６】
本実施形態に係る表示インターフェースの「詳細表示」階層は、図３に示した時系列表示構成から、各コンテンツに適した表示構成に切り替えることができる。例えば、図４に示すように、時系列表示からメール選択表示に切り替えたり、時系列表示から写真選択表示に切り替えることができる。もちろん、メール選択表示から写真選択表示に切り替えることもできる。
【００４７】
例えば、時系列表示からメール選択表示に切り替える場合、ユーザは、時系列表示で詳細表示領域Ａ１に表示されたメールのオブジェクト（例えば、メールタイトルオブジェクトｍ１）を選択し、操作部１１２を用いて表示切り替え操作を実行する。すると、表示制御部１１４は、時系列表示からメール選択表示に表示インターフェースを切り替える。同様に、時系列表示で詳細表示領域Ａ１に表示された写真のオブジェクト（例えば、写真オブジェクトｐ３）を選択し、操作部１１２を用いて表示切り替え操作を実行すると、表示制御部１１４は、時系列表示から写真選択表示に表示インターフェースを切り替える。
【００４８】
メール選択表示では、例えば、選択されたメールに関してメールタイトルオブジェクトと、メール内容オブジェクトとが表示される。尚、メールの詳細内容が表示されてもよい。一方、写真選択表示では、例えば、選択された写真が画面表示又は写真サイズに適した大きさで表示される。他のコンテンツの場合も、そのコンテンツの表示形式に適したサイズや表現方法で表示される。
【００４９】
以上説明したように、本実施形態に係る「詳細表示」階層は、表示されるコンテンツの表示形式に適した表示方法に自由に切り替えることができる。また、図中には明示しないが、表示インターフェース内に表示切り替え用のボタンが表示されていてもよい。その場合、ユーザは、タッチパネルやタッチペン等により構成される操作部１１２によって、そのボタンを押下することで表示方法が切り替えることができる。
【００５０】
以上、本実施形態に係る表示インターフェースの表示構成について説明した。上記の表示インターフェースを利用すると、同画面に対して複数の異なるアプリケーションにより作成されたデータを時系列に表示することができるため、ユーザは、並列して表示されるデータを参照しながら、ある日の出来事をユーザが容易に把握することができる。
【００５１】
例えば、上記の表示インターフェースは、ある一日に送受信したメールと、その日に撮影した写真のデータとを時間情報で関連付けてタイムラインに沿って表示することができる。また、上記の表示インターフェースは、タイムライン上のスクロール操作に応じて、各時刻に対応したデータが詳細表示領域にスクロール表示される。このようにすると、異なるアプリケーションで作成されたデータが時系列に並ぶため、ユーザは、表示領域をスクロールさせることで、ユーザの体験順にデータを閲覧することが可能になる。また、ユーザは、写真に題名を付けたり、ファイル管理等の編集作業を行わずともメールの内容から写真を撮影した状況等の内容が理解できるため、ファイル管理が容易になる。
【００５２】
さらに、メール等のように、相手との間の遣り取りが生じるコンテンツに関しては、その遣り取りが分かるようにコンテンツを表すオブジェクトが紐付けされて表示される。その結果、ユーザは、相手との会話や遣り取りの流れに沿った順序でメールを閲覧することが可能になる。
【００５３】
簡単に纏めると、ユーザは、時系列に並び替えられた複数種類のデータをスクロールしながら閲覧することができるため、例えば、メールの会話内容を閲覧しながら撮影した写真を閲覧し、写真の出来事をメール本文から理解するといったことが可能になる。その結果、ユーザは、写真一枚一枚にコメントをつけるなどの編集作業をしなくとも、写真に付加された時間情報を用いて、その写真を撮影した際の状況をメール内の会話から把握することができるようになる。つまり、メールをユーザの会話ログとして位置付け、ユーザの体験順にデータを閲覧できるようにすることで、その他のデータへの有用なタグとしてメールを利用することができるのである。もちろん、メールや写真以外にも、音楽データやメモデータ、スケジュールデータを連携させてもよいし、例えば、動画像データやＷｅｂページの閲覧履歴等も上記のコンテンツとして同様に扱ってもよい。
【００５４】
［ハードウェア構成］
上記装置が有する各構成要素の機能は、例えば、図５に示すハードウェア構成を有する情報処理装置により実現することが可能である。図５は、上記装置装置、機器、又は端末の各構成要素が有する機能を実現することが可能な情報処理装置のハードウェア構成を示す説明図である。
【００５５】
図５に示すように、前記の情報処理装置は、主に、ＣＰＵ（Ｃｅｎｔｒａｌ  Ｐｒｏｃｅｓｓｉｎｇ  Ｕｎｉｔ）９０２と、ＲＯＭ（Ｒｅａｄ  Ｏｎｌｙ  Ｍｅｍｏｒｙ）９０４と、ＲＡＭ（Ｒａｎｄｏｍ  Ａｃｃｅｓｓ  Ｍｅｍｏｒｙ）９０６と、ホストバス９０８と、ブリッジ９１０と、外部バス９１２と、インターフェース９１４と、入力部９１６と、出力部９１８と、記憶部９２０と、ドライブ９２２と、接続ポート９２４と、通信部９２６とにより構成される。
【００５６】
ＣＰＵ９０２は、例えば、演算処理装置又は制御装置として機能し、ＲＯＭ９０４、ＲＡＭ９０６、記憶部９２０、又はリムーバブル記録媒体９２８に記録された各種プログラムに基づいて各構成要素の動作全般又はその一部を制御する。ＲＯＭ９０４は、例えば、ＣＰＵ９０２に読み込まれるプログラムや演算に用いるデータ等を格納する。ＲＡＭ９０６は、例えば、ＣＰＵ９０２に読み込まれるプログラムや、そのプログラムを実行する際に適宜変化する各種パラメータ等を一時的又は永続的に格納する。これらの構成要素は、例えば、高速なデータ伝送が可能なホストバス９０８によって相互に接続されている。また、ホストバス９０８は、例えば、ブリッジ９１０を介して比較的データ伝送速度が低速な外部バス９１２に接続されている。
【００５７】
入力部９１６は、例えば、マウス、キーボード、タッチパネル、ボタン、スイッチ、及びレバー等の操作手段である。また、入力部９１６は、赤外線やその他の電波を利用して制御信号を送信することが可能なリモートコントロール手段（所謂、リモコン）であってもよい。なお、入力部９１６は、上記の操作手段を用いて入力された情報を入力信号としてＣＰＵ９０２に伝送するための入力制御回路等により構成されている。
【００５８】
出力部９１８は、例えば、ＣＲＴ（Ｃａｔｈｏｄｅ  Ｒａｙ  Ｔｕｂｅ）、ＬＣＤ（Ｌｉｑｕｉｄ  Ｃｒｙｓｔａｌ  Ｄｉｓｐｌａｙ）、ＰＤＰ（Ｐｌａｓｍａ  Ｄｉｓｐｌａｙ  Ｐａｎｅｌ）、又はＥＬＤ（Ｅｌｅｃｔｒｏ−Ｌｕｍｉｎｅｓｃｅｎｃｅ  Ｄｉｓｐｌａｙ）等のディスプレイ装置、スピーカ、ヘッドホン等のオーディオ出力装置、プリンタ、携帯電話、又はファクシミリ等、取得した情報を利用者に対して視覚的又は聴覚的に通知することが可能な装置である。
【００５９】
記憶部９２０は、各種のデータを格納するための装置であり、例えば、ハードディスクドライブ（ＨＤＤ；Ｈａｒｄ  Ｄｉｓｋ  Ｄｒｉｖｅ）等の磁気記憶デバイス、半導体記憶デバイス、光記憶デバイス、又は光磁気記憶デバイス等により構成される。
【００６０】
ドライブ９２２は、例えば、磁気ディスク、光ディスク、光磁気ディスク、又は半導体メモリ等のリムーバブル記録媒体９２８に記録された情報を読み出し、又はリムーバブル記録媒体９２８に情報を書き込む装置である。リムーバブル記録媒体９２８は、例えば、ＤＶＤメディア、Ｂｌｕ−ｒａｙメディア、ＨＤ−ＤＶＤメディア、コンパクトフラッシュ（ＣＦ；ＣｏｍｐａｃｔＦｌａｓｈ）（登録商標）、メモリースティック、又はＳＤメモリカード（Ｓｅｃｕｒｅ  Ｄｉｇｉｔａｌ  ｍｅｍｏｒｙ  ｃａｒｄ）等である。もちろん、リムーバブル記録媒体９２８は、例えば、非接触型ＩＣチップを搭載したＩＣカード（Ｉｎｔｅｇｒａｔｅｄ  Ｃｉｒｃｕｉｔ  Ｃａｒｄ）、又は電子機器等であってもよい。
【００６１】
接続ポート９２４は、例えば、ＵＳＢ（Ｕｎｉｖｅｒｓａｌ  Ｓｅｒｉａｌ  Ｂｕｓ）ポート、ＩＥＥＥ１３９４ポート、ＳＣＳＩ（Ｓｍａｌｌ  Ｃｏｍｐｕｔｅｒ  Ｓｙｓｔｅｍ  Ｉｎｔｅｒｆａｃｅ）、ＲＳ−２３２Ｃポート、又は光オーディオ端子等のような外部接続機器９３０を接続するためのポートである。外部接続機器９３０は、例えば、プリンタ、携帯音楽プレーヤ、デジタルカメラ、デジタルビデオカメラ、又はＩＣレコーダ等である。
【００６２】
通信部９２６は、ネットワーク９３２に接続するための通信デバイスであり、例えば、有線又は無線ＬＡＮ（Ｌｏｃａｌ  Ａｒｅａ  Ｎｅｔｗｏｒｋ）、Ｂｌｕｅｔｏｏｔｈ（登録商標）、又はＷＵＳＢ（Ｗｉｒｅｌｅｓｓ  ＵＳＢ）用の通信カード、光通信用のルータ、ＡＤＳＬ（Ａｓｙｍｍｅｔｒｉｃ  Ｄｉｇｉｔａｌ  Ｓｕｂｓｃｒｉｂｅｒ  Ｌｉｎｅ）用のルータ、又は各種通信用のモデム等である。また、通信部９２６に接続されるネットワーク９３２は、有線又は無線により接続されたネットワークにより構成され、例えば、インターネット、家庭内ＬＡＮ、赤外線通信、可視光通信、放送、又は衛星通信等である。
【００６３】
以上、添付図面を参照しながら本発明の好適な実施形態について説明したが、本発明は係る例に限定されないことは言うまでもない。当業者であれば、特許請求の範囲に記載された範疇内において、各種の変更例または修正例に想到し得ることは明らかであり、それらについても当然に本発明の技術的範囲に属するものと了解される。
【００６４】
例えば、上記の実施形態に係る表示インターフェースは、次に説明する機能を有していてもよい。例えば、「日」階層Ｌ１０８でメールが選択された場合に、「詳細表示」階層では、会話の流れに沿って順を追って読み進めることができるように、同じ件名で送受信されたメールと添付ファイルとが時系列で表示される機能を有していてもよい。また、視覚的に会話のやりとりを理解することが容易になるように、送信メールの列と受信メールの列とを明確に分けて表示されてもよい。さらに、「詳細表示」階層では、選択されたメール又は写真以外に、その日のメールや写真を右端に表示しておいてもよい。この構成によると、その他の写真やメールに素早く表示切替できるようになる。
【００６５】
さらに、上記の表示インターフェースは、「詳細表示」階層内に表示切り替えボタンが設けられ、これが選択されることで、「詳細表示」画面内で選択中のメールや写真を中心にして、その日の全てのデータが時系列に並び替えるられるようにしてもよい。尚、上記の表示制御装置１０２は、絞込み検索機能を有していてもよい。例えば、ユーザは、上記の表示インターフェース内に表示された所定のキー情報を選択して、そのキー情報に関連するコンテンツのオブジェクトが強調表示されるように構成することもできる。また、スケジュール情報等に登録された情報に基づいて、その情報に関連するメールや写真が強調表示されるように構成してもよい。
【図面の簡単な説明】
【００６６】
【図１】本発明の一実施形態に係る表示システムの構成を示す説明図である。
【図２】同実施形態に係る表示インターフェースの構成を示す説明図である。
【図３】同実施形態に係る表示インターフェースの構成を示す説明図である。
【図４】同実施形態に係る表示インターフェースの構成を示す説明図である。
【図５】同実施形態に係る表示制御装置のハードウェア構成を示す説明図である。
【符号の説明】
【００６７】
１０００    表示システム
１０２    表示制御装置
１０４    表示装置
１０６    記憶装置
１０８    通信装置
１１０    撮像装置
１１２    操作部
１１４    表示制御部
１１６    階層切替部
１１８    スクロール処理部
Ａ    表示領域
Ａ１    詳細表示領域
Ａ２    俯瞰表示領域
Ａ２１    タイムライン表示領域
Ａ２２    時間情報表示領域
Ａ１０２    年単位表示オブジェクト
Ａ１０４    月単位表示オブジェクト
Ａ１０６    日単位表示オブジェクト
Ｌ１０２    「年」階層
Ｌ１０４    「月」階層
Ｌ１０６    「週」階層
Ｌ１０８    「日」階層
ｃ１、ｃ２    メール内容オブジェクト
ｍ    メールオブジェクト
ｍ１、ｍ２    メールタイトルオブジェクト
ｐ    写真オブジェクト
ｐ１、ｐ２、ｐ３    写真オブジェクト
ａ    領域表示オブジェクト
Ｒ    紐付け表示オブジェクト
【図１】
0005355872.tif 000002
【図２】
0005355872.tif 000003
【図３】
0005355872.tif 000004
【図４】
0005355872.tif 000005
【図５】
0005355872.tif 000006